(57)【要約】【課題】安全帯の使用に関する注意喚起を効果的に行うことのできる安全帯用音声出力装置を提供する。【解決手段】ハーネス型安全帯に装着された第１及び第２の装置本体６１，６２の第１及び第２のフック掛止部６１ａ，６２ａにそれぞれ掛けられた各第１のロープ３０のフック３１の一方または他方が外されると、安全帯を所定高さ以上の場所で使用するように注意喚起する音声メッセージを出力するようにしたので、安全帯の使用開始時に第１のロープ３０を所定高さ以上の場所で使用するように音声メッセージによって注意喚起することができ、作業開始後の作業者への注意喚起を徹底することができる。【選択図】図３
2019047941.tif 000002
【特許請求の範囲】
【請求項１】
人体に装着されるベルト部と、ベルト部から延びるロープと、ロープの先端に設けたれたフックとを備えた安全帯の使用に関する音声メッセージを出力する安全帯用音声出力装置において、
前記安全帯のベルトの所定位置に配置され、フックが着脱自在に掛けられるフック掛止部と、
フック掛止部にフックが掛けられているか否かを検知する検知手段と、
フック掛止部からフックが外されたことが検知手段によって検知されると所定の音声メッセージを出力する音声出力手段とを備えた
ことを特徴とする安全帯用音声出力装置。
【請求項２】
前記音声出力手段は、安全帯を所定高さ以上の場所で使用するように注意喚起する音声メッセージを出力する
ことを特徴とする請求項１記載の安全帯用音声出力装置。
【請求項３】
前記安全帯は先端にそれぞれフックを有する二本のロープを備え、
前記フック掛止部を各フックがそれぞれ掛けられるように二つ設けた
ことを特徴とする請求項１または２記載の安全帯用音声出力装置。
【請求項４】
前記音声出力手段は、各フックのうち一方のフックが一方のフック掛止部に掛けられている状態で他方のフックが他方のフック掛止部から外された場合のみ音声メッセージを出力する
ことを特徴とする請求項３記載の安全帯用音声出力装置。
【発明の詳細な説明】
【技術分野】
【０００１】
本発明は、例えば建設工事現場等の高所作業において、作業者に安全帯の使用に関する注意を喚起するための安全帯用音声出力装置に関するものである。
【背景技術】
【０００２】
一般に、工事現場等の高所で作業を行う場合、作業者には転落防止のための安全帯の着用が義務づけられている。この種の安全帯は、人体の胴部に装着される胴ベルトと、胴ベルトに連結された所定長さのロープとからなり、ロープの先端に取付けられたフックを作業現場の親綱等に掛けるようにしている。
【０００３】
しかしながら、前述の安全帯は人体の胴部に装着されるため、ロープからの張力が胴部に集中するとともに、吊り下げられた姿勢も不安定になり易い。そこで、人体の胴部のみならず、両肩、背部及び大腿部に亘って延びるベルトを備え、背部のベルトにロープを連結することにより、人体に加わるロープからの張力をベルトによって分散させ、人体を安定して支持するようにした、いわゆるハーネス型の安全帯が知られている（例えば、特許文献１参照。）。
【先行技術文献】
【特許文献】
【０００４】
【特許文献１】特開２００９−６６２５９号公報
【発明の概要】
【発明が解決しようとする課題】
【０００５】
ところで、前記ハーネス型安全帯では、落下時の衝撃を吸収するためにロープにショックアブソーバが設けられているが、ショックアブソーバは折り畳まれたロープの一部が逢着用の糸を破断させながら徐々に伸びる構造となっていることから、ロープの最大長さよりも低い高さ位置（例えば５ｍ以下）では使用することができない。このため、前記ロープの最大長さよりも低い位置で作業する場合は、他の短いロープを用いるようにしている。
【０００６】
従って、作業現場では、ショックアブソーバ付きのロープを前記高さ位置よりも低い位置で使用しないように注意喚起をする必要がある。しかしながら、このような注意喚起は、例えば作業開始前に管理者が口頭で指導するのが通常であり、作業開始後は作業者の自己管理に委ねられることから、注意喚起を徹底することが困難であった。
【０００７】
本発明は前記問題点に鑑みてなされたものであり、その目的とするところは、安全帯の使用に関する注意喚起を効果的に行うことのできる安全帯用音声出力装置を提供することにある。
【課題を解決するための手段】
【０００８】
本発明は前記目的を達成するために、人体に装着されるベルト部と、ベルト部から延びるロープと、ロープの先端に設けたれたフックとを備えた安全帯の使用に関する音声メッセージを出力する安全帯用音声出力装置において、前記安全帯の所定位置に配置され、フックが着脱自在に掛けられるフック掛止部と、フック掛止部にフックが掛けられているか否かを検知する検知手段と、フック掛止部からフックが外されたことが検知手段によって検知されると所定の音声メッセージを出力する音声出力手段とを備えている。
【０００９】
これにより、安全帯のロープ使用時にフック掛止部からフックが外されると所定の音声メッセージが出力されることから、安全帯の使用開始時に安全帯の使用に関する音声メッセージによって作業者に注意喚起される。
【発明の効果】
【００１０】
本発明によれば、安全帯の使用開始時に安全帯の使用に関する音声メッセージによって作業者に注意喚起をすることができるので、作業開始後の作業者への注意喚起を徹底することができる。
【図面の簡単な説明】
【００１１】
【図１】本発明の一実施形態を示す音声出力装置を備えたハーネス型安全帯の正面図
【図２】音声出力装置を備えたハーネス型安全帯の背面図
【図３】フック掛止部にフックを掛けた状態を示す音声出力装置を備えたハーネス型安全帯の正面図
【図４】ハーネス型安全帯の要部斜視図
【図５】音声出力装置の正面図
【図６】音声出力装置の動作を示す正面図
【図７】音声出力装置のブロック図
【図８】制御部の動作を示すフローチャート
【発明を実施するための形態】
【００１２】
図１乃至図８は本発明の一実施形態を示すもので、音声出力装置を備えたハーネス型安全帯を示すものである。
【００１３】
同図に示すハーネス型安全帯は、人体の上半身側に装着される上側ベルト部１０と、人体の下半身側に装着される下側ベルト部２０と、上側ベルト部１０に連結された二本の第１のロープ３０と、下側ベルト部２０に連結された第２のロープ４０とを備え、各第１のロープ３０は一つのショックアブソーバ５０を介して上側ベルト部１０に連結されている。また、ハーネス型安全帯には音声出力装置６０が取り付けられている。
【００１４】
上側ベルト部１０は、人体の両肩に掛けられる肩ベルト１１と、人体の背部で上下方向に延びる第１の縦ベルト１２と、人体の前部を幅方向に延びる胸ベルト１３と、肩ベルト１１と第１の縦ベルト１２とを連結する背面バックル１４とから構成され、背面バックル１４には複数のベルト挿通孔１４ａが設けられている。肩ベルト１１は長手方向中央を人体の背部で折り返して人体の前部側に延びるように形成され、前部側の下端はそれぞれ下側ベルト部２０に接続されている。また、肩ベルト１１の折り返し部分は背面バックル１４に挿通されている。第１の縦ベルト１２は上端を背面バックル１４に連結され、その下端は下側ベルト部２０に接続されている。胸ベルト１３は両端を肩ベルト１１の両端側に接続され、その中央側はバックル１３ａにより着脱自在に結合するようになっている。
【００１５】
下側ベルト部２０は、人体の胴部に装着される胴ベルト２１と、人体の大腿部に装着される一対の腿ベルト２２と、胴ベルト２１と各腿ベルト２２との間に亘って延びる一対の第２の縦ベルト２３及び一対の第３の縦ベルト２４とから構成され、胴ベルト２１には肩ベルト１１の下端と第１の縦ベルト１２の下端がそれぞれ接続されている。胴ベルト２１は人体の胴部を巻回するように形成され、その前面側はバックル２１ａにより着脱自在に結合するようになっている。また、胴ベルト２１にはそれぞれ環状のフック係止部２１ｂが設けられるとともに、第２のロープ４０が連結されるＤ環部材２１ｃが設けられている。各腿ベルト２２は人体の大腿部を巻回するように形成され、その前面側はバックル２２ａにより着脱自在に結合するようになっている。各第２の縦ベルト２３は胴ベルト２１の前面幅方向両端側から各腿ベルト２２の前面側に向かって延びるように形成され、各第３の縦ベルト２４は胴ベルト２１の背面側中央部から各腿ベルト２２の背面側に向かって延びるように形成されている。
【００１６】
各第１のロープ３０は、それぞれ一端をショックアブソーバ５０に連結されるとともに、その他端（先端）にはフック３１が取付けられ、フック３１は環状部分の一部を開閉することにより親綱等に着脱可能な周知の構造からなる。
【００１７】
第２のロープ４０は、一端を下側ベルト部２０のＤ環部材２１ｃにロープ巻取器４１を介して連結されるとともに、その他端（先端）にはフック４２が取付けられ、フック４２は環状部分の一部を開閉することにより親綱等に着脱可能な周知の構造からなる。また、第２のロープ４０は、伸長したときの最大長さが各第１のロープ３０よりも短くなっている。
【００１８】
ショックアブソーバ５０は、両端側を除いた部分を折り畳んで逢着したベルト５１を合成樹脂のケース５２で被覆した周知の構成からなり、ベルト５１の一端は背面バックル１４に連結されている。ベルト５１の他端にはＤ環部材５３が取付けられ、Ｄ環部材５３には各ロープ３０の他端がそれぞれ連結されている。
【００１９】
本実施形態の音声発生装置６０は、上側ベルト部１０に配置される第１及び第２の装置本体６１，６２を備えている。
【００２０】
第１の装置本体６１は、上側ベルト部１０の左右一方の肩ベルト１１の前面側に装着され、その下端には一方の第１のロープ３０のフック３１が掛けられる第１のフック掛止部６１ａが上下動自在に設けられている。第１の装置本体６１は、第１のフック掛止部６１ａの上下動に連動してオン・オフする第１のフック検知スイッチ６１ｂと、所定の音声メッセージが記憶された音声記憶部６１ｃと、音声記憶部６１ｃの音声メッセージを出力するスピーカ６１ｄと、音声メッセージの出力を制御する制御部６１ｅとを備えている。
【００２１】
第１のフック掛止部６１ａはフック３１を掛止可能なＵ字状の部材からなり、図示しないバネにより上方に付勢されている。
【００２２】
第１のフック検知スイッチ６１ｂは、第１のフック掛止部６１ａが上方に位置しているとき（フック３１が掛けられていないとき）はオンとなり、第１のフック掛止部６１ａが下方に位置しているとき（フック３１が掛けられているとき）はオフとなるように構成され、例えば周知のマイクロスイッチや光学センサ等を用いることができる。
【００２３】
音声記憶部６１ｃは音声合成ＩＣからなり、予め記憶されている音声メッセージの音声信号を増幅器６１ｆで増幅してスピーカ６１ｄに出力するようになっている。音声記憶部６１ｃには、作業現場における安全帯の使用に関する音声メッセージとして、例えば「このロープは５ｍ以上の場所で使用してください」など、安全帯のロープを所定高さ以上の場所で使用するように注意喚起する音声メッセージが記憶されている。
【００２４】
スピーカ６１ｄは周知の機器からなり、第１の装置本体６１の前面側に設けられた複数の貫通孔６１ｇを介して外部に音声を出力するようになっている。
【００２５】
第２の装置本体６２は、上側ベルト部１０の左右他方の肩ベルト１１の前面側に装着され、その下端には他方の第１のロープ３０のフック３１が掛けられる第２のフック掛止部６２ａが上下動自在に設けられている。第２の装置本体６２は、第２のフック掛止部６２ａの上下動に連動してオン・オフする第２のフック検知スイッチ６２ｂを備えている。
【００２６】
第２のフック掛止部６２ａはフック３１を掛止可能なＵ字状の部材からなり、図示しないバネにより上方に付勢されている。
【００２７】
第２のフック検知スイッチ６２ｂは、第２のフック掛止部６２ａが上方に位置しているとき（フック３１が掛けられていないとき）はオンとなり、第２のフック掛止部６２ａが下方に位置しているとき（フック３１が掛けられているとき）はオフとなるように構成され、例えば周知のマイクロスイッチや光学センサ等を用いることができる。
【００２８】
制御部６１ｅはマイクロコンピュータによって構成され、第１のフック検知スイッチ６１ｂ及び音声記憶部６１ｃに接続されている。また、制御部１０は乾電池または蓄電池からなる電源６１ｈに接続されている。更に、制御部１０には、外部に配置されたリード線６３を介して第２の装置本体６２の第２のフック検知スイッチ６２ｂが接続されている。尚、増幅器６１ｆ、音声記憶部６１ｃ及び制御部６１ｅは、第１の装置本体６１内に配置された回路基板（図示せず）に実装されている。
【００２９】
以上のように構成されたハーネス型安全帯は、上側ベルト部１０の肩ベルト１１を人体の両肩に掛けるとともに、下側ベルト部２０の各腿ベルト２２に人体の大腿部を挿通することにより人体に装着され、何れか一方の第１のロープ３０のフック３１を作業現場の親綱等に掛けることによって使用される。ここで、作業者が作業場所を移動する際、例えば一方のロープ３０のフック３１が親綱に掛けられている場合は、一方のロープ３０のフック３１を親綱に掛けたまま他方の第１のロープ３０のフック３１を親綱に掛けた後、一方のロープ３０のフック３１を親綱から外すことにより、常に何れか一方のロープ３０を親綱に掛けておくことができる。また、例えば一方の第１のロープ３０を親綱に掛けている際は、使用していない他方の第１のロープ３０のフック３１を第２のフック掛止部６２ａに掛けておき、他方の第１のロープ３０を親綱に掛けている際は、使用していない一方の第１のロープ３０のフック３１を第１のフック掛止部６１ａに掛けておくことができる。
【００３０】
次に、作業者が転落した場合には、人体に加わるロープ３０からの張力が肩ベルト１１、胴ベルト２１及び各腿ベルト２２に分散することから、人体が安定して支持される。また、落下の際、ロープ３０からの張力がショックアブソーバ５０に加わると、ショックアブソーバ５０のベルト５１が逢着用の糸を破断させながら徐々に伸びることから、ロープ３０に加わる衝撃がショックアブソーバ５０によって吸収される。
【００３１】
尚、前述の第１のロープ３０の使用は、所定高さ（例えば５ｍ）以上での使用であり、所定高さよりも低い場所では第２のロープ４０を使用する。
【００３２】
次に、制御部６１ｅについて、図８のフローチャートを参照して説明する。ここでは、第１のフック検知スイッチ６１ｂを「ＳＷ１」、第２のフック検知スイッチ６２ｂを「ＳＷ２」とする。
【００３３】
まず、第１及び第２の装置本体６１，６２の第１及び第２のフック掛止部６２ａ，６２ｂにそれぞれフック３１が掛けられ、ＳＷ１及びＳＷ２がそれぞれオフの状態（Ｓ１）から、第１のフック掛止部６１ａから一方の第１のロープ３０のフック３１が外されてＳＷ１のみがオンとなり（Ｓ２）、または第２のフック掛止部６２ａから他方の第１のロープ３０のフック３１が外されてＳＷ２のみがオンとなった場合は（Ｓ３）、前記音声メッセージを出力する（Ｓ４）。即ち、この状態は各第１のロープ３０のうち一方のみまたは他方のみが親綱に掛けられて使用されている状態であり、安全帯の使用開始時であるから、音声メッセージによって第１のロープ３０を所定高さ以上の場所で使用するように注意喚起される。
【００３４】
次に、第１及び第２のフック掛止部６１ａ，６２ａの両方から各第１のロープ３０のフック３１がそれぞれ外されてＳＷ１及びＳＷ２がオンとなった後（Ｓ５）、ＳＷ１のみがオフ（Ｓ６）、またはＳＷ２のみがオフとなった場合は（Ｓ７）、前記音声メッセージを出力しない。即ち、この状態は、親綱へのフック３１の掛け替え時に各第１のロープ３０の両方を一時的に親綱に掛けた後、一方の第１のロープ３０が親綱から外されて第１のフック掛止部６１ａに掛けられてＳＷ１のみがオフとなったか、または他方の第１のロープ３０が親綱から外されて第２のフック掛止部６２ａに掛けられてＳＷ２のみがオフとなった状態であり、いずれも安全帯の使用を継続している状態であるから、音声メッセージを出力する必要がない。
【００３５】
このように、本実施形態によれば、ハーネス型安全帯に装着された第１及び第２の装置本体６１，６２の第１及び第２のフック掛止部６１ａ，６２ａにそれぞれ掛けられた各第１のロープ３０のフック３１の一方または他方が外されると、安全帯を所定高さ以上の場所で使用するように注意喚起する音声メッセージを出力するようにしたので、安全帯の使用開始時に第１のロープ３０を所定高さ以上の場所で使用するように音声メッセージによって注意喚起することができ、作業開始後の作業者への注意喚起を徹底することができる。
【００３６】
また、各第１のロープ３０のフック３１のうち一方のフック３１が第１のフック掛止部６２ａに掛けられている状態で他方のフック３１が第２のフック掛止部６２ｂから外された場合のみ音声メッセージを出力するようにしたので、親綱へのフック３１の掛け替え時に各第１のロープ３０のフック３１の両方を一時的に親綱に掛けた後、何れか一方の第１のロープ３０のフック３１を親綱から外して第１及び第２のフック掛止部６２ａ，６２ｂに掛けた場合は音声メッセージが出力されず、安全帯の使用を継続しているときまで不必要に音声メッセージが出力されることがないという利点がある。
【００３７】
尚、前記実施形態では、安全帯を所定高さ以上の場所で使用するように注意喚起する音声メッセージを出力するようにしたものを示したが、安全帯の使用に関する音声メッセージであれば、他の音声メッセージを出力するようにしてもよい。
【符号の説明】
【００３８】
３０…第１のロープ、３１…フック、６０…音声発生装置、６１…第１の装置本体、６１ａ…第１のフック掛止部、６１ｂ…第１のフック検知スイッチ、６１ｃ…音声記憶部、６１ｄ…スピーカ、６１ｅ…制御部、６２…第２の装置本体、６２ａ…第２のフック掛止部、６２ｂ…第２のフック検知スイッチ。
【図１】
2019047941.tif 000003
【図２】
2019047941.tif 000004
【図３】
2019047941.tif 000005
【図４】
2019047941.tif 000006
【図５】
2019047941.tif 000007
【図６】
2019047941.tif 000008
【図７】
2019047941.tif 000009
【図８】
2019047941.tif 000010
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
人体に装着されるベルト部と、ベルト部から伸びる二本のロープと、各ロープの先端にそれぞれ設けられたフックとを備えた安全帯の使用に関する音声メッセージを出力する安全帯用音声出力装置において、
前記安全帯のベルトの所定位置に配置され、各フックがそれぞれ着脱自在に掛けられる二つのフック係止部と、
フック係止部にフックが掛けられているか否かを検知する検知手段と、
フック係止部からフックが外されたことが検知手段によって検知されると所定の音声メッセージを出力する音声出力手段とを備え、
前記音声出力手段は、各フックのうち一方のフックが一方のフック係止部に掛けられている状態で他方のフックが他方のフック係止部から外された場合のみ音声メッセージを出力する
ことを特徴とする安全帯用音声出力装置。
【請求項２】
前記音声出力手段は、安全帯を所定高さ以上の場所で使用するように注意喚起する音声メッセージを出力する
ことを特徴とする請求項１記載の安全帯用音声出力装置。
【請求項３】
人体に装着されるベルト部と、ベルト部から伸びる第１及び第２のロープと、各ロープの先端に設けられたフックとを備え、前記第１のロープは所定高さ以上の場所で使用し、前記第２のロープは所定高さよりも低い場所で使用する安全帯の使用に関する音声メッセージを出力する安全帯用音声出力装置において、
前記安全帯のベルトの所定位置に配置され、第１のロープのフックが着脱自在に掛けられるフック係止部と、
フック係止部にフックが掛けられているか否かを検知する検知手段と、
フック係止部からフックが外されたことが検知手段によって検知されると第１のロープを所定高さ以上の場所で使用するように注意喚起する音声メッセージを出力する音声出力手段とを備えた
ことを特徴とする安全帯用音声出力装置。
【請求項４】
前記安全帯は先端にそれぞれフックを有する二本の第１のロープを備え、
前記フック掛止部を各フックがそれぞれ掛けられるように二つ設けた
ことを特徴とする請求項３記載の安全帯用音声出力装置。
【請求項５】
前記音声出力手段は、各フックのうち一方のフックが一方のフック掛止部に掛けられている状態で他方のフックが他方のフック掛止部から外された場合のみ音声メッセージを出力する
ことを特徴とする請求項４記載の安全帯用音声出力装置。
【手続補正２】
【補正対象書類名】明細書
【補正対象項目名】０００８
【補正方法】変更
【補正の内容】
【０００８】
本発明は前記目的を達成するために、人体に装着されるベルト部と、ベルト部から延びる二本のロープと、各ロープの先端にそれぞれ設けられたフックとを備えた安全帯の使用に関する音声メッセージが出力する安全帯用音声出力装置において、前記安全帯のベルトの所定位置に配置され、各フックがそれぞれ着脱自在に掛けられる二つのフック係止部と、フック係止部からフックが掛けられているか否かを検知する検知手段と、フック係止部からフックが外されたことが検知手段によって検知されると所定の音声メッセージを出力する音声出力手段とを備え、前記音声出力手段は、各フックのうち一方のフックが一方のフック係止部の掛けられている状態で他方のフックが他方のフック係止部から外された場合のみ音声メッセージを出力することを特徴としている。
【手続補正３】
【補正対象書類名】明細書
【補正対象項目名】０００９
【補正方法】変更
【補正の内容】
【０００９】
これにより、安全帯のロープ使用時にフック係止部からフックが外されると所定の音声メッセージが出力されることから、安全帯の使用開始時に安全帯の使用に関する音声メッセージによって作業者に注意喚起される。また、フックの掛け替え時に各ロープのフックの両方を一時的に親綱に掛けた後、何れか一方のロープのフックを親綱から外してフック係止部に掛けた場合は音声メッセージが出力されることはない。
【手続補正４】
【補正対象書類名】明細書
【補正対象項目名】００１０
【補正方法】変更
【補正の内容】
【００１０】
本発明によれば、安全帯の使用開始時に安全帯の使用に関する音声メッセージによって作業者に注意喚起をすることができるので、作業開始後の作業者への注意喚起を徹底することができる。また、親綱へのフックの掛け替え時に各ロープのフックの両方を一時的に親綱に掛けた後、何れか一方のロープのフックを親綱から外してフック係止部に掛けた場合は音声メッセージが出力されることがなく、安全帯の使用を継続しているときまで不必要に音声メッセージが出力されることがないという利点がある。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
人体に装着されるベルト部と、ベルト部から延びる二本のロープと、各ロープの先端にそれぞれ設けられたフックとを備えた安全帯の使用に関する音声メッセージを出力する安全帯用音声出力装置において、
前記安全帯のベルトの所定位置に配置され、各フックがそれぞれ着脱自在に掛けられる二つのフック掛止部と、
フック掛止部にフックが掛けられているか否かを検知する検知手段と、
フック掛止部からフックが外されたことが検知手段によって検知されると所定の音声メッセージを出力する音声出力手段とを備え、
前記音声出力手段は、各フックのうち一方のフックが一方のフック掛止部に掛けられている状態で他方のフックが他方のフック掛止部から外された場合のみ音声メッセージを出力する
ことを特徴とする安全帯用音声出力装置。
【請求項２】
前記音声出力手段は、安全帯を所定高さ以上の場所で使用するように注意喚起する音声メッセージを出力する
ことを特徴とする請求項１記載の安全帯用音声出力装置。
【請求項３】
人体に装着されるベルト部と、ベルト部から延びる第１及び第２のロープと、各ロープの先端に設けられたフックとを備え、前記第１のロープは所定高さ以上の場所で使用し、前記第２のロープは所定高さよりも低い場所で使用する安全帯の第１のロープの使用に関する音声メッセージを出力する安全帯用音声出力装置において、
前記安全帯のベルトの所定位置に配置され、第１のロープのフックが着脱自在に掛けられるフック掛止部と、
フック掛止部に第１のロープのフックが掛けられているか否かを検知する検知手段と、
フック掛止部から第１のロープのフックが外されたことが検知手段によって検知されると第１のロープを所定高さ以上の場所で使用するように注意喚起する音声メッセージを出力する音声出力手段とを備えた
ことを特徴とする安全帯用音声出力装置。
【請求項４】
前記安全帯は先端にそれぞれフックを有する二本の第１のロープを備え、
前記フック掛止部を各第１のロープのフックがそれぞれ掛けられるように二つ設けた
ことを特徴とする請求項３記載の安全帯用音声出力装置。
【請求項５】
前記音声出力手段は、各第１のロープのフックのうち一方の第１のロープのフックが一方のフック掛止部に掛けられている状態で他方の第１のロープのフックが他方のフック掛止部から外された場合のみ音声メッセージを出力する
ことを特徴とする請求項４記載の安全帯用音声出力装置。
【手続補正２】
【補正対象書類名】明細書
【補正対象項目名】０００８
【補正方法】変更
【補正の内容】
【０００８】
本発明は前記目的を達成するために、人体に装着されるベルト部と、ベルト部から延びる二本のロープと、各ロープの先端にそれぞれ設けられたフックとを備えた安全帯の使用に関する音声メッセージが出力する安全帯用音声出力装置において、前記安全帯のベルトの所定位置に配置され、各フックがそれぞれ着脱自在に掛けられる二つのフック掛止部と、フック掛止部からフックが掛けられているか否かを検知する検知手段と、フック掛止部からフックが外されたことが検知手段によって検知されると所定の音声メッセージを出力する音声出力手段とを備え、前記音声出力手段は、各フックのうち一方のフックが一方のフック掛止部に掛けられている状態で他方のフックが他方のフック掛止部から外された場合のみ音声メッセージを出力することを特徴としている。
【手続補正３】
【補正対象書類名】明細書
【補正対象項目名】０００９
【補正方法】変更
【補正の内容】
【０００９】
これにより、安全帯のロープ使用時にフック掛止部からフックが外されると所定の音声メッセージが出力されることから、安全帯の使用開始時に安全帯の使用に関する音声メッセージによって作業者に注意喚起される。また、フックの掛け替え時に各ロープのフックの両方を一時的に親綱に掛けた後、何れか一方のロープのフックを親綱から外してフック係止部に掛けた場合は音声メッセージが出力されることはない。
【手続補正４】
【補正対象書類名】明細書
【補正対象項目名】００１０
【補正方法】変更
【補正の内容】
【００１０】
本発明によれば、安全帯の使用開始時に安全帯の使用に関する音声メッセージによって作業者に注意喚起をすることができるので、作業開始後の作業者への注意喚起を徹底することができる。また、親綱へのフックの掛け替え時に各ロープのフックの両方を一時的に親綱に掛けた後、何れか一方のロープのフックを親綱から外してフック掛止部に掛けた場合は音声メッセージが出力されることがなく、安全帯の使用を継続しているときまで不必要に音声メッセージが出力されることがないという利点がある。